(57)【要約】【課題】  施錠部が設けられた扉内部の状態等の施錠部が設けられた場所周辺の状況・環境を基に解錠するか否かを判断することを可能にする電子ロックシステムを提供する。【解決手段】  施錠部１２と鍵１０とが通信する際に、施錠部１２のセンサ７３で検出したセンサ信号が鍵１０に送信される。鍵１０は、そのセンサ信号を検証し、解錠可能な条件を満たす場合に、解錠信号を施錠部１２に送信する。施錠部１２は、解錠信号を受信すると、施錠シリンダ６１のロックを解除する。【選択図】  図６
2010196256.tif 000002
【特許請求の範囲】
【請求項１】
鍵と錠を備え、
前記鍵は、
前記錠に電力を供給する電力供給部
を有し、
前記錠は、
入力される制御信号に応じて、解錠する若しくは解錠可能な状態となるロック機構部と、
所定のセンサから入力される検知信号に応じて、前記ロック機構部に前記制御信号を出力する錠制御部と
を有し、
前記ロック機構部及び前記制御部が、前記電力供給部から供給される電力に基づいて動作する、
電子ロックシステム。
【請求項２】
前記鍵は、
前記錠と通信を行う鍵通信部と、
前記鍵通信部から解錠信号を送信する鍵制御部と
を有し、
前記錠は、
前記電力供給部から供給される電力に基づいて前記鍵と通信を行う錠通信部
を有し、
前記錠制御部は、前記錠通信部において前記解錠信号を受信した場合に、当該解錠信号に応じて前記ロック機構部に前記制御信号を出力する、
請求項１に記載の電子ロックシステム。
【請求項３】
前記鍵は、
前記錠と通信を行う鍵通信部と、
前記鍵通信部において前記検知信号を受信した場合、当該受信した検知信号が所定の条件を満たすか否か判定し、当該判定の結果に応じて前記鍵通信部から解錠信号を送信する鍵制御部と
を有し、
前記錠は、
前記電力供給部から供給される電力に基づいて前記鍵と通信を行う錠通信部
を有し、
前記錠制御部は、前記錠通信部から前記検知信号を送信し、当該検知信号に応じた前記解錠信号を前記錠通信部において受信した場合、前記制御信号を出力する、
請求項１に記載の電子ロックシステム。
【請求項４】
前記鍵は、鍵記憶部を有し、
前記錠制御部は、前記電力供給部から電力を供給されて起動した場合、又は、当該起動後に前記錠通信部において所定の信号を受信した場合、前記錠通信部から前記検知信号を送信し、
前記鍵制御部は、前記鍵通信部において受信した前記検知信号を前記鍵記憶部に格納する、
請求項２又は３に記載の電子ロックシステム。
【請求項５】
前記錠制御部は、前記錠通信部から前記検知信号とともに前記錠の固有の識別情報を送信し、
前記鍵制御部は、前記鍵通信部において受信した前記検知信号と前記識別情報とを関連付けて前記鍵記憶部に格納する、
請求項４に記載の電子ロックシステム。
【請求項６】
前記鍵は、時刻情報を生成する時計部を有し、
前記鍵制御部は、前記鍵通信部において受信した前記検知信号及び前記識別情報と前記時計情報とを関連付けて前記鍵記憶部に格納する、
請求項５に記載の電子ロックシステム。
【請求項７】
前記錠は、錠記憶部を有し、
前記錠制御部は、前記電力供給部から電力を供給されて起動した場合、又は、当該起動後に前記錠通信部において所定の信号を受信した場合、上記検知信号を前記錠記憶部に格納する、
請求項２又は３に記載の電子ロックシステム。
【請求項８】
前記錠制御部は、前記錠通信部において前記検知信号の読み出しを要求する信号を受信した場合、前記錠記憶部に格納した前記検知信号を読み出して前記錠の固有の識別情報とともに前記錠通信部から送信する、
請求項７に記載の電子ロックシステム。
【請求項９】
前記鍵は、
鍵記憶部と、
時刻情報を生成する時計部と
を有し、
前記鍵制御部は、前記時計部が示す時刻情報が前記鍵記憶部に記憶された条件を満たす場合のみ、前記解錠信号を送信する
請求項２に記載の電子ロックシステム。
【請求項１０】
前記検知信号を発生し、前記電力供給部から供給される電力に基づいて動作するセンサを有する、
請求項１に記載の電子ロックシステム。
【請求項１１】
錠と通信を行う鍵であって、
前記錠に電力を供給する電力供給部と、
前記錠から受信した、当該錠が用いられた環境の状態を検出したセンサ信号に応じて、前記錠のロックを解除するかどうかを判断し、解除すると判断した場合に解錠信号を前記錠に送信する制御部と
を有する鍵。
【請求項１２】
鍵と通信を行う錠であって、
センサと、
前記鍵から供給される電力に基づいて前記鍵と通信を行い、前記センサが生成したセンサ信号を前記鍵に送信する錠通信部と、
入力される制御信号に応じて、解錠する若しくは解錠可能な状態となるロック機構部と、
前記錠通信部が解除信号を受信すると、それに応じて前記ロック機構部に前記制御信号を出力する錠制御部と
を有する錠。
【発明の詳細な説明】
【技術分野】
【０００１】
本発明は、本発明は電気信号により施錠・解錠を制御する電子ロックシステム、並びにそれに用いられる鍵および錠に関するものである。
【背景技術】
【０００２】
特許文献１には、特に少ない消費電力で安定して動作可能なシリンダー錠を用いたシステムが開示されている。
当該システムでは、電子鍵を鍵穴に挿入すると、押し板が押されかぎ棒が移動し板バネの掛止を外す。板バネは磁石の磁力によりモータの回転軸のらせん溝に噛み合わされる。
そして、電子鍵から送信された認証データが正当だった場合、モータが作動し、板バネがらせん溝に沿って移動し、結合ピンが内筒の外部に突き出て、ボルト駆動軸に設けられたクラッチ板の開口部内に移動する。この状態で電子鍵、内筒、ボルト駆動軸は一体となって回転し、施解錠可能となる。また、電子鍵を抜き取ると、バネによりかぎ棒が移動し板バネをらせん溝から外し鍵穴側に掛止する。これにより結合ピンも内筒内に収容され、内筒とボルト駆動軸との連結が解除される。
【先行技術文献】
【特許文献】
【０００３】
【特許文献１】特開平７−３１７３８５号公報
【発明の概要】
【発明が解決しようとする課題】
【０００４】
ところで、解錠するか否かの判断を、施錠部が設けられた扉内部の状態等の施錠部が設けられ場所の状況・環境を基に行いたいという要請がある。
しかしながら上述した特許文献１に開示されたシステムでは、上述した要請に応えることができないという問題がある。
【０００５】
本発明はかかる事情に鑑みてなされたものであり、その目的は、施錠部が設けられた扉内部の状態等の施錠部が設けられた場所周辺の状況・環境を基に解錠するか否かを判断することを可能にする電子ロックシステム、並びにそれに用いられる鍵および錠を提供することにある。
【課題を解決するための手段】
【０００６】
上述した従来技術の問題点を解決し、上述した目的を達成するために、本発明の電子ロックシステムは、鍵と錠を備えている。ここで、前記鍵は、前記錠に電力を供給する電力供給部を有する。また、前記錠は、入力される制御信号に応じて、解錠する若しくは解錠可能な状態となるロック機構部と、所定のセンサから入力される検知信号に応じて、前記ロック機構部に前記制御信号を出力する錠制御部とを有し、前記ロック機構部及び前記制御部が、前記電力供給部から供給される電力に基づいて動作する。
【０００７】
好適には、本発明の電子ロックシステムの前記鍵は、前記錠と通信を行う鍵通信部と、前記鍵通信部から解錠信号を送信する鍵制御部とを有し、前記錠は、前記電力供給部から供給される電力に基づいて前記鍵と通信を行う錠通信部を有し、前記錠制御部は、前記錠通信部において前記解錠信号を受信した場合に、当該解錠信号に応じて前記ロック機構部に前記制御信号を出力する。
【０００８】
好適には、本発明の電子ロックシステムの前記鍵は、前記錠と通信を行う鍵通信部と、前記鍵通信部において前記検知信号を受信した場合、当該受信した検知信号が所定の条件を満たすか否か判定し、当該判定の結果に応じて前記鍵通信部から解錠信号を送信する鍵制御部とを有し、前記錠は、前記電力供給部から供給される電力に基づいて前記鍵と通信を行う錠通信部を有し、前記錠制御部は、前記錠通信部から前記検知信号を送信し、当該検知信号に応じた前記解錠信号を前記錠通信部において受信した場合、前記制御信号を出力する。
【０００９】
好適には、本発明の電子ロックシステムの前記鍵は、鍵記憶部を有し、前記錠制御部は、前記電力供給部から電力を供給されて起動した場合、又は、当該起動後に前記錠通信部において所定の信号を受信した場合、前記錠通信部から前記検知信号を送信し、前記鍵制御部は、前記鍵通信部において受信した前記検知信号を前記鍵記憶部に格納する。
【００１０】
好適には、本発明の電子ロックシステムの前記錠制御部は、前記錠通信部から前記検知信号とともに前記錠の固有の識別情報を送信し、前記鍵制御部は、前記鍵通信部において受信した前記検知信号と前記識別情報とを関連付けて前記鍵記憶部に格納する。
好適には、本発明の電子ロックシステムの前記鍵は、時刻情報を生成する時計部を有し、前記鍵制御部は、前記鍵通信部において受信した前記検知信号及び前記識別情報と前記時計情報とを関連付けて前記鍵記憶部に格納する。
好適には、本発明の電子ロックシステムの前記錠は、錠記憶部を有し、前記錠制御部は、前記電力供給部から電力を供給されて起動した場合、又は、当該起動後に前記錠通信部において所定の信号を受信した場合、上記検知信号を前記錠記憶部に格納する。
好適には、本発明の電子ロックシステムの前記錠制御部は、前記錠通信部において前記検知信号の読み出しを要求する信号を受信した場合、前記錠記憶部に格納した前記検知信号を読み出して前記錠の固有の識別情報とともに前記錠通信部から送信する。
好適には、本発明の電子ロックシステムの前記鍵は、鍵記憶部と、時刻情報を生成する時計部とを有し、前記鍵制御部は、前記時計部が示す時刻情報が前記鍵記憶部に記憶された条件を満たす場合のみ、前記解錠信号を送信する。
好適には、本発明の電子ロックシステムの前記検知信号を発生し、前記電力供給部から供給される電力に基づいて動作するセンサを有する。
【００１１】
本発明の鍵は、錠と通信を行う鍵であって、前記錠に電力を供給する電力供給部と、前記錠から受信した、当該錠が用いられた環境の状態を検出したセンサ信号に応じて、前記錠のロックを解除するかどうかを判断し、解除すると判断した場合に解錠信号を前記錠に送信する制御部とを有する。
【００１２】
本発明の錠は、鍵と通信を行う錠であって、センサと、前記鍵から供給される電力に基づいて前記鍵と通信を行い、前記センサが生成したセンサ信号を前記鍵に送信する錠通信部と、入力される制御信号に応じて、解錠する若しくは解錠可能な状態となるロック機構部と、前記錠通信部が解除信号を受信すると、それに応じて前記ロック機構部に前記制御信号を出力する錠制御部とを有する。
【発明の効果】
【００１３】
本発明によれば、施錠部が設けられた扉内部の状態等の施錠部が設けられた場所周辺の状況・環境を基に解錠するか否かを判断することを可能にする電子ロックシステム、並びにそれに用いられる鍵および錠を提供することができる。
【図面の簡単な説明】
【００１４】
【図１】図１は、本発明の実施形態のセキュリティシステムに用いられる鍵と、施錠部との外観図である。
【図２】図２は図１に示す鍵の構成図である。
【図３】図３は図１に示す鍵の機能ブロック図である。
【図４】図４は図１に示す施錠部の構成図である。
【図５】図５は図１に示す施錠部の機能ブロック図である。
【図６】図６は、図１に示す鍵と施錠部とが結合した状態を説明するための図である。
【図７】図７は、本発明の実施形態のセキュリティシステムの動作例を説明するためのフローチャートである。
【図８】図８は、図７に示すステップＳＴ１１を詳細に説明するためのフローチャートである。
【発明を実施するための形態】
【００１５】
以下、本発明の実施形態のセキュリティシステムについて説明する。
図１は、本発明の実施形態にセキュリティシステム１に用いられる鍵１０と、施錠部１２との外観図である。
セキュリティシステム１は、ＲＦＩＤ(Radio Frequency
IDentification)を使用した簡易施錠システムであり、ゲーム機筐体、金庫、ゴルフ場やスポーツジム等のロッカー、飲料メーカの自販機、家具・事務機、制御盤の扉などに使用されている金属製の簡易施錠に、ＲＦＩＤを活用した機能を追加することで、施錠開閉の条件設定を可能とし、施錠内部の状況が把握できる。
以下、図１に示す鍵１０および施錠部１２について詳細に説明する。
【００１６】
［鍵１０］
図１に示すように、鍵１０は、薄板状の筐体２１および突出部２３が一体的に形成された構成をしている。
筐体２１の表面には、緑色ＬＥＤ３１、赤色ＬＥＤ３３およびスイッチ３５が配設されている。
【００１７】
図２は図１に示す鍵１０の構成図、図３は図１に示す鍵１０の機能ブロック図である。
図２および図３に示すように、鍵１０は、例えば、緑色ＬＥＤ３１、赤色ＬＥＤ３３、スイッチ３５、ＵＳＢ端子４１、充電回路４３、電池４５、赤外線通信部４６、振動モータ４７、ＲＦ回路４９、アンテナ５１、メモリ５３、ＣＰＵ５５を有する。
【００１８】
緑色ＬＥＤ３１および赤色ＬＥＤ３３は、ＣＰＵ５５からの制御によって点灯され、通信条件や解錠の可否に関するＮＧやＯＫを視覚的に判断できるようにする。
スイッチ３５が押下されると、その信号をＣＰＵ５５が受け、ＣＰＵ５５からＲＦ回路４９に制御信号が出力される。
【００１９】
ＵＳＢ端子４１は、外部のコンピュータやモバイル製品とのデータ通信を行うインタフェースである。ＵＳＢ端子４１を介して、充電回路４３に電力が供給される。
また、ＵＳＢ端子４１は、鍵１０の保管時にクレードルの端子と接続される。
充電回路４３は、２次電池である電池４５に対しての充電を制御する。
【００２０】
赤外線通信部４６は、外部のコンピュータやモバイル製品との間で赤外線通信を行うインタフェースである。
振動モータ４７は、ＣＰＵ５５からの制御により、いくつかのパターンで振動させることにより、通信条件や解錠可否に関するＮＧやＯＫを触覚的にユーザが判断できるようにする。
【００２１】
ＲＦ回路４９は、アンテナ５１を介して施錠部１２と通信を行う回路である。
アンテナ５１が電波を送受信し、ＲＦ回路４９が電波を生成、解析する。
当該電波通信は、総務省の定める微弱無線局の規定内の電界強度により行われる。
ここで、エアインタフェース基本仕様は、エアインタフェース間周波数１３５ｋＨｚ以下もしくは１３．５６ＭＨｚである。また、送信はＦＳＫ変調が採用され、受信はＡＳＫ変調が採用される。
また、通信方式は、独自のプロトコルによる半２重同期方式が採用される。
【００２２】
メモリ５３は、ＣＰＵ５５の処理に用いられるプログラム、並びに各種のデータを記憶する。
【００２３】
ＣＰＵ５５は、スイッチ３５からスイッチ押下を示す制御信号を入力すると、アンテナ５１から制御信号を含む電波を発信するようにＲＦ回路４９を制御する。これにより、鍵１０が施錠部１２に搭載されたＲＦ回路と通信する。
【００２４】
鍵１０では、施錠部１２との通信状況に応じて、搭載した緑色ＬＥＤ３１および赤色ＬＥＤ３３で施錠内容を目視で判断できるようにする。
また、ＣＰＵ５５によって振動モータ４７を制御することで、振動モータ４７による振動の種類（長さや振動波長）を基に、ユーザが触覚的な判断が可能になる。
また、ＣＰＵ５５は、施錠部１２との通信結果を、搭載したメモリ５３に保持する。
また、鍵１０は、ＵＳＢ端子４１および赤外線通信部４６を介して、必要なデータやプログラムを外部のコンピュータやモバイル製品から受信してメモリ５３に書き込む。また、鍵１０は、ＵＳＢ端子４１および赤外線通信部４６を介して、必要なデータをメモリ５３から読み出して、外部のコンピュータやモバイル製品に送信する。
【００２５】
鍵１０の突出部２３が、施錠部１２の連結穴１２ａに挿入されると、アンテナ５１を介してＣＰＵ５５は、センサ信号を入力する。ＣＰＵ５５は、予めメモリ５３に記憶された解錠条件をセンサ信号が満たすかを否かを判断し、満たすと判断すると解錠信号をアンテナ５１から施錠部１２に送信する。
【００２６】
［鍵１０の初期設定動作］
鍵１０は、クレードル（図示せず）に装着した状態で、ＵＳＢ端子４１を介して充電される。
充電が開始されると、ＣＰＵ５５の制御によって赤色ＬＥＤ３３が点滅する。
ＣＰＵ５５は、充電が完了した場合、赤色ＬＥＤ３３の点滅を停止させ、緑色ＬＥＤ３１を点滅させる。
鍵１０を初期設定する場合に、外部のコンピュータやモバイル製品、あるいはウェブ上のコンピュータで初期設定用プログラムを起動する。当該起動は、予め決められたユーザＩＤとパスワードを用いて行われる。
そして、当該起動されたプログラムと鍵１０との間で通信を行いながら、初期設定を行う。
当該初期設定動作において、コンピュータと鍵１０との間の通信は、ＵＳＢ端子４１を介して行われる。また、モバイル製品と鍵１０との間の通信は、赤外線通信部４６を介して行われる。
【００２７】
ユーザは、上記初期設定動作において、コンピュータあるいはモバイル製品のディスプレイに表示された初期設定画面で各設定値を入力し、鍵１０にダウンロードさせる。
初期設定値としては、例えば、以下のものが用いられる。
【００２８】
ユーザＩＤ：１６桁の半角数字：ユーザ別に割振るＩＤである。ユーザＩＤはユーザが1度しか設定できない。
【００２９】
エリアＩＤ：１６桁の半角数字：ユーザが使用するエリア別に設定するＩＤである。ユーザが何度も設定可能である。
【００３０】
セキュリティコード：１６桁の半角英数字：ユーザが設定するセキュリティコードである。ユーザが何度も設定可能である。
【００３１】
施錠権利：高・中・低：施錠の条件をユーザの使用する担当別に設定する。
【００３２】
センサー接続状態：接続有・接続なし：施錠部１２にセンサが接続されているかを設定する。
【００３３】
施錠シリンダ回転：右回し・左回し・両方：施錠部の施錠シリンダの回せる権利をユーザの使用する担当別に設定する。
【００３４】
上述した初期設定データを施錠部１２にダウンロードする。これにより、施錠部１２は、初期設定モードになる。
【００３５】
［施錠部１２］
施錠部１２は、鍵１０の突出部２３が挿入される連結穴１２ａを有する。
図４は図１に示す施錠部１２の構成図、図５は図１に示す施錠部１２の機能ブロック図である。
図４および図５に示すように、施錠部１２は、例えば、施錠シリンダ６１、ソレノイドピン６３、ソレノイド６４、ＲＦ回路６５、アンテナ６７、センサ７３、電源部７７、Ａ／Ｄ変換回路７９、メモリ８３、ＣＰＵ８５を有し、筐体に収容されている。
【００３６】
施錠シリンダ６１は、第１の回転位置にあるときに扉の鍵をロック状態にし、第２の回転位置にあるときに扉の鍵を非ロック状態にする。
ソレノイドピン６３は、ソレノイド６４によって駆動され、紙面に対して直交する方向に移動する。施錠シリンダ６１は、第１の位置にあるときに施錠シリンダ６１の回転を規制するロック状態となり、第２の位置にあるときに施錠シリンダ６１を回転を規制しない非ロック状態となる。
【００３７】
ＲＦ回路６５は、アンテナ６７を介して鍵１０と通信を行う回路である。
アンテナ６７が電波を送受信し、ＲＦ回路６５が電波を生成、解析する。
当該電波通信は、総務省の定める微弱無線局の規定内の電界強度により行われる。
ここで、エアインタフェース基本仕様は、エアインタフェース間周波数１３５ｋＨｚ以下もしくは１３．５６ＭＨｚである。また、送信はＦＳＫ変調が採用され、受信はＡＳＫ変調が採用される。
また、通信方式は、独自のプロトコルによる半２重同期方式が採用される。
【００３８】
センサ７３は、抵抗変化によるセンサである。センサ７３は、例えば、施錠部１２が取り付けられている扉の内部の状態を検出する。
センサ７３は、例えば、温度、湿度、歪、加速度、重量等のセンサーである。
センサ７３は、その検出結果を示すセンサ信号をメモリ８３に書きこむ。
【００３９】
電源部７７は、アンテナ６７から電力の供給を得て蓄電し、この電力をＣＰＵ８５に供給する。
Ａ／Ｄ変換回路７９は、センサ７３からのアナログのセンサ信号をデジタルに変換してＣＰＵ８５に出力する。
【００４０】
メモリ８３は、ＣＰＵ８５の処理に用いられるプログラム、並びに各種のデータを記憶する。
また、メモリ８３には、施錠部１２の固有の識別データが記憶されている。
【００４１】
また、ＣＰＵ５５は、鍵１０との間の通信により、鍵の施錠関連の処理を統括的に制御する。
具体的には、ＣＰＵ５５は、例えば、アンテナ６７を介して鍵１０から解錠信号を入力すると、ソレノイドピン６３が第１の位置から第２の位置に移動するように、ソレノイド６４を制御する。
また、ＣＰＵ５５は、開錠条件を自ら判断する場合には、例えば、アンテナ６７を介して鍵１０から受信した情報と、メモリ５３に記憶されている情報とを照合して解錠条件を判断する。
ＣＰＵ５５は、施錠部１２が鍵１０と通信する際に、メモリ８３からセンサ信号を読み出して、これをアンテナ６７から鍵１０に送信する。このとき、ＣＰＵ５５は、メモリ８３から読みだした施錠部１２の識別データと関連付けて、上記センサ信号を送信する。
【００４２】
［施錠部１２の初期設定］
前述したように初期設置された初期設定モードの鍵１０を施錠部１２に差し込む。
そして、鍵１０のスイッチ３５を押下することで、ユーザＩＤ・エリアＩＤ・セキュリティコード・施錠権利・センサー接続状態・施錠シリンダ回転の情報が施錠部１２のメモリ８３に書き込まれる。
その後、施錠部１２のＣＰＵ８５は、メモリ８３から固有ＩＤを読み出して、これをアンテナ６７を介して鍵１０に送信する。
【００４３】
［セキュリティシステム１の動作例］
図７は、図１に示す施錠部１２を解錠する際の動作例を説明するためのフローチャートである。
ステップＳＴ１１：
扉等に取り付けられた施錠部１２を解錠する場合に、鍵１０の突出部２３を施錠部１２の連結穴１２ａに挿入する。
これにより、図６に示すように、鍵１０のアンテナ５１と施錠部１２のアンテナ６７とが近接し、アンテナ５１からアンテナ６７に電力が供給される。
また、施錠部１２において、ＣＰＵ８５がメモリ８３から、ユーザＩＤ、エリアＩＤ、セキュリティコード、ユニークＩＤ、施錠権利データ、センサ信号を読み出し、アンテナ６７から鍵１０に送信する。
鍵１０は、施錠部１２からのユーザＩＤ、エリアＩＤ、セキュリティコード、ユニークＩＤ、施錠権利データ、時間条件データおよびセンサ信号を、アンテナ５１で受信して、メモリ５３に書き込む。
【００４４】
そして、鍵１０のＣＰＵ５５は、図８に示すように、初期設定時にメモリ５３に書き込まれたユーザＩＤ、エリアＩＤ、セキュリティコードおよびユニークＩＤと、施錠部１２から受信したユーザＩＤ、エリアＩＤ、セキュリティコード、ユニークＩＤ、時間条件とを順に照合する。
ここで、時間条件は、例えば、ユーザＩＤ毎に使用可能な時間が事前に設定されており、時間条件を満たすか否かは、鍵１０内の時計が示す時刻情報を使って判断される。
【００４５】
ステップＳＴ１２：
鍵１０のＣＰＵ５５は、ステップＳＴ１１の上記照合に成功した場合に、ステップＳＴ１３に進み、上記照合に失敗した場合にステップＳＴ１９に進む。
【００４６】
ステップＳＴ１３：
鍵１０のＣＰＵ５５は、初期設定時にメモリ５３に書き込まれた施錠権利データと、施錠部１２から受信した施錠権利データとを照合する。
【００４７】
ステップＳＴ１４：
鍵１０のＣＰＵ５５は、ステップＳＴ１３の上記照合に成功した場合に、ステップＳＴ１５に進み、上記照合に失敗した場合にステップＳＴ１９に進む。
【００４８】
ステップＳＴ１５：
鍵１０のＣＰＵ５５は、施錠部１２から受信したセンサ信号が、初期設定時にメモリ５３に書き込まれたセンサ信号の条件を満たしているかを照合する。
また、ＣＰＵ５５は、受信したセンサ信号をメモリ５３に書き込む。
【００４９】
ステップＳＴ１６：
鍵１０のＣＰＵ５５は、ステップＳＴ１５の上記照合に成功した場合に、ステップＳＴ１７に進み、上記照合に失敗した場合にステップＳＴ１９に進む。
【００５０】
ステップＳＴ１７：
鍵１０のＣＰＵ５５は、解錠条件を満たしたと判断し、解錠信号をアンテナ５１から施錠部１２に送信する。このとき、鍵１０は、メモリ５３に記憶されている施錠シリンダ回転に関する情報に基づいて、どちらの方向の回転による解錠を許可する情報を同時に施錠部１２に送信する。
【００５１】
ステップＳＴ１８：
図４および図５に示す施錠部１２は、鍵１０から上記解錠信号を受信すると、ソレノイドピン６３を第１の位置から第２の位置に移動させ、施錠シリンダ６１を非ロック状態にする。
【００５２】
ステップＳＴ１９：
鍵１０のＣＰＵ５５は、解錠条件を満たさなかったとして、赤色ＬＥＤ３３を点灯させる。
ステップＳＴ２０：
鍵１０のＣＰＵ５５は、振動モータ４７を所定のパターンで振動させる。この振動により、解錠条件を満たさなかったことを知ることができる。
【００５３】
鍵１０のＣＰＵ５５は、ソレノイドピン６３を継続して第１の位置に保持させる。すなわち、ロック状態を維持する。
【００５４】
以上説明したように、セキュリティシステム１では、鍵１０が施錠部１２と通信して施錠部１２から、扉内部の状態を示すセンサ信号を受信し、そのセンサ信号に基づいて、解錠するか否かを判断する。
そのため、施錠部１２の扉の内部状態に応じて、必要な場合、あるいは安全な場合にのみ施錠部１２を解錠させることができる。
【００５５】
また、セキュリティシステム１では、鍵１０が施錠部１２から受信したセンサ信号をメモリ５３に書き込む。そのため、鍵１０を収集したときに、鍵１０が使用された施錠部１２の扉内部の状態を示す情報を同時に収集できる。
【００５６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５７】
上述した実施形態では、アンテナを使って無線で非接触方式で電力を供給し、信号を送受信する場合を例示したが、接触方式で電力を供給し、信号を送受信してもよい。
【００５８】
上述した実施形態では、施錠部１２の解錠の可否を鍵１０において判断する場合を例示したが、施錠部１２において判断するようにしてもよい。
【００５９】
また、上述した実施形態において、センサ７３として情報入力用のインタフェースを用いてもよい。この場合に、例えば、扉の内部に格納された金銭の額をインタフェースを介して入力し、施錠部１２を介して鍵１０に送信および記憶するようにしてもよい。
【００６０】
また、上述した実施形態では、施錠部１２のロック機構として、ソレノイドピン６３をソレノイド６４で駆動する場合を例示したが、施錠シリンダ６１の回転を規制するピン等をソレノイド以外の構成で駆動するようにしてもよい。
また、施錠部１２のロック機構として、ピン以外の方法で施錠シリンダ６１の回転を規制するようにしてもよい。
さらに、ロックの対象は、施錠シリンダ６１以外の機構でもよい。
【産業上の利用可能性】
【００６１】
本発明は、鍵と錠を備えたシステムに適用可能である。
【符号の説明】
【００６２】
１…セキュリティシステム
１０…鍵
３１…緑色ＬＥＤ
３３…赤色ＬＥＤ
３５…スイッチ
４１…ＵＳＢ端子
４６…赤外線通信部
４７…振動モータ
４９…ＲＦ回路
５１…アンテナ
５５…ＣＰＵ
１２…施錠部
６１…施錠シリンダ
６３…ソレノイドピン
６５…ＲＦ回路
７３…センサ
８３…メモリ
８５…ＣＰＵ
【図１】
2010196256.tif 000003
【図２】
2010196256.tif 000004
【図３】
2010196256.tif 000005
【図４】
2010196256.tif 000006
【図５】
2010196256.tif 000007
【図６】
2010196256.tif 000008
【図７】
2010196256.tif 000009
【図８】
2010196256.tif 000010